(57)【特許請求の範囲】
【請求項１】
上端が開口したカップ状のバレル容器を、軸心を傾斜させてめっき浴に浸漬し、傾斜させた軸心の回りに回転駆動して、前記バレル容器に投入されるばら状の被めっき物をめっきする開口バレルめっき装置において、
前記めっき浴中で、一対の杆部の先端部に揺動部を差し渡した揺動部材を、前記揺動部の差し渡し方向を水平方向に向けて、前記一対の杆部の基端側に設けた揺動支持点で固定部材に揺動自在に支持し、この揺動部材の揺動部に設けた容器取り付け部に、前記カップ状のバレル容器の底側を、その軸心が前記揺動部と直角となるように取り付けて、前記揺動部材を揺動駆動することにより、前記カップ状のバレル容器を、前記傾斜させた軸心を含む垂直断面内で揺動させることを特徴とする開口バレルめっき装置。
【請求項２】
前記揺動部材を揺動駆動する手段が、前記めっき浴の外に配置された駆動源で回転駆動されるクランク軸を、前記揺動部材の揺動部と平行に配設し、このクランク軸の偏心部と前記揺動部材の杆部の揺動支持点から偏心した部位とを、これらの平行なクランク軸と揺動部と直交するリンクで連結して、前記揺動部を揺動駆動するものである請求項１に記載の開口バレルめっき装置。
【請求項３】
前記クランク軸を回転駆動する駆動源を、前記カップ状のバレル容器を回転駆動する駆動源と別の駆動源とした請求項２に記載の開口バレルめっき装置。
【請求項４】
前記揺動部材の揺動部に取り付けたカップ状のバレル容器を回転駆動する手段を、前記揺動部材の少なくとも一方の杆部の基端側を前記固定部材に揺動自在に支持する支持軸と、これと近接する前記揺動部の一端側とに、互いに直角に噛み合う傘歯車を取り付け、前記固定部材側に取り付けられた駆動力伝達機構から伝達される回転駆動力を、これらの直角に噛み合う傘歯車を介して、前記揺動部の容器取り付け部に取り付けたバレル容器に伝達するものとした請求項１乃至３のいずれかに記載の開口バレルめっき装置。
【請求項５】
前記固定部材側に取り付けられた駆動力伝達機構を、前記めっき浴の外に配設された駆動源の回転駆動力を複数の歯車の噛合いで伝達する歯車伝達機構とした請求項４に記載の開口バレルめっき装置。
【請求項６】
前記カップ状のバレル容器の底側の前記揺動部の容器取り付け部への取り付け手段を、前記揺動部の容器取り付け部と前記バレル容器の底のいずれか一方に、円柱部の先端側に円柱部の外径以下のねじ山径の雄ねじ部を形成した円柱凸部を設け、他方に、前記円柱部が嵌まり込む丸穴の奥側に丸穴の内径以下のねじ山径で、前記円柱凸部の雄ねじ部と螺合する雌ねじ部を形成した丸穴凹部を設けて、前記円柱凸部を前記丸穴凹部に嵌め込んだのち、前記雄ねじ部と前記雌ねじ部を螺合させるものとした請求項１乃至５のいずれかに記載の開口バレルめっき装置。
【発明の詳細な説明】
【技術分野】
【０００１】
この発明は、上端が開口したカップ状のバレル容器をめっき浴に傾斜させて浸漬し、バレル容器に投入されるばら状の被めっき物をめっきする開口バレルめっき装置に関する。
【背景技術】
【０００２】
バレル容器に投入されるばら状の被めっき物をめっきするバレルめっき装置には、両端が閉口した筒状のバレル容器を横向きにめっき浴に浸漬し、水平な軸心の回りに回転させる閉口バレルめっき装置と、上端が開口したカップ状のバレル容器を傾斜させてめっき浴に浸漬し、傾斜させた軸心の回りに回転させる開口バレルめっき装置とがある（例えば、特許文献１−３参照）。開口バレルめっき装置は、閉口バレルめっき装置のように、バレル容器に蓋を着脱する必要がなく、被めっき物の出し入れが簡単な利点がある。また、細かい被めっき物が蓋と容器本体との間に嵌まり込む恐れもない。
【０００３】
なお、これらのバレルめっき装置には、電解めっき用のものと無電解めっき用のものとがあり、電解めっき用のものでは、めっき浴中に陽極が設けられ、バレル容器内に陰極が導かれる。
【先行技術文献】
【特許文献】
【０００４】
【特許文献１】特開平１０−１９５６９８号公報
【特許文献２】特開２００２−３３９１００号公報
【特許文献２】特開２００５−７６０６６号公報
【発明の概要】
【発明が解決しようとする課題】
【０００５】
特許文献１−３に記載された従来の開口バレルめっき装置は、上端が開口したカップ状のバレル容器を一定の傾斜角で傾斜させた状態で軸心の回りに回転させるので、投入されたばら状の被めっき物が、カップ状のバレル容器の底側であまり流動せずに、傾斜した下側に偏った状態となる。このため、ばら状の被めっき物をめっき液と満遍なく接触させることができず、めっきが不均質となりやすく、めっき効率も低下する問題がある。
【０００６】
そこで、本発明の課題は、ばら状の被めっき物を均質にめっきすることができ、めっき効率も向上させることができる開口バレルめっき装置を提供することである。
【課題を解決するための手段】
【０００７】
上記の課題を解決するために、本発明は、上端が開口したカップ状のバレル容器を、軸心を傾斜させてめっき浴に浸漬し、傾斜させた軸心の回りに回転駆動して、前記バレル容器に投入されるばら状の被めっき物をめっきする開口バレルめっき装置において、前記軸心の回りに回転駆動されるカップ状のバレル容器を、前記傾斜させた軸心を含む垂直断面内で揺動させる手段を設けた構成を採用した。
【０００８】
すなわち、軸心の回りに回転駆動されるカップ状のバレル容器を、傾斜させた軸心を含む垂直断面内で揺動させる手段を設けることにより、ばら状の被めっき物を、カップ状のバレル容器の底側での偏り状態が変化するように流動させて、めっき液と満遍なく接触させるようにし、ばら状の被めっき物を均質にめっきすることができ、めっき効率も向上させることができるようにした。
【０００９】
前記カップ状のバレル容器を垂直断面内で揺動させる手段は、前記めっき浴中で、一対の杆部の先端部に揺動部を差し渡した揺動部材を、前記揺動部の差し渡し方向を水平方向に向けて、前記一対の杆部の基端側に設けた揺動支持点で固定部材に揺動自在に支持し、この揺動部材の揺動部に設けた容器取り付け部に、前記カップ状のバレル容器の底側を、その軸心が前記揺動部と直角となるように取り付けて、前記揺動部材を揺動駆動するものとすることができる。
【００１０】
前記揺動部材を揺動駆動する手段は、前記めっき浴の外に配置された駆動源で回転駆動されるクランク軸を、前記揺動部材の揺動部と平行に配設し、このクランク軸の偏心部と前記揺動部材の杆部の揺動支持点から偏心した部位とを、これらの平行なクランク軸と揺動部と直交するリンクで連結して、前記揺動部を揺動駆動するものとすることができる。
【００１１】
前記クランク軸を回転駆動する駆動源を、前記カップ状のバレル容器を回転駆動する駆動源と別の駆動源とすることにより、カップ状のバレル容器の回転速度と揺動速度を独立に変化させることができる。また、回転と揺動のいずれか一方のみの運動をさせることもできる。
【００１２】
前記揺動部材の揺動部に取り付けたカップ状のバレル容器を回転駆動する手段を、前記揺動部材の少なくとも一方の杆部の基端側を前記固定部材に揺動自在に支持する支持軸と、これと近接する前記揺動部の一端側とに、互いに直角に噛み合う傘歯車を取り付け、前記固定部材側に取り付けられた駆動力伝達機構から伝達される回転駆動力を、これらの直角に噛み合う傘歯車を介して、前記揺動部の容器取り付け部に取り付けたバレル容器に伝達するものとすることにより、めっき浴中の揺動部材に回転駆動の駆動源を取り付けることなく、カップ状のバレル容器を回転駆動することができる。
【００１３】
前記固定部材側に取り付けられた駆動力伝達機構は、前記めっき浴の外に配設された駆動源の回転駆動力を複数の歯車の噛合いで伝達する歯車伝達機構とすることができる。
【００１４】
前記カップ状のバレル容器の底側の前記揺動部の容器取り付け部への取り付け手段を、前記揺動部の容器取り付け部と前記バレル容器の底のいずれか一方に、円柱部の先端側に円柱部の外径以下のねじ山径の雄ねじ部を形成した円柱凸部を設け、他方に、前記円柱部が嵌まり込む丸穴の奥側に丸穴の内径以下のねじ山径で、前記円柱凸部の雄ねじ部と螺合する雌ねじ部を形成した丸穴凹部を設けて、前記円柱凸部を前記丸穴凹部に嵌め込んだのち、前記雄ねじ部と前記雌ねじ部を螺合させるものとすることにより、カップ状のバレル容器を簡単に着脱することができる。なお、円柱凸部の雄ねじ部と丸穴凹部の雌ねじ部は、バレル容器の回転で締まり勝手となるものにするとよい。
【発明の効果】
【００１５】
本発明の開口バレルめっき装置は、軸心の回りに回転駆動されるカップ状のバレル容器を、傾斜させた軸心を含む垂直断面内で揺動させる手段を設けたので、ばら状の被めっき物を、カップ状のバレル容器の底側での偏り状態が変化するように流動させて、めっき液と満遍なく接触させるようにし、ばら状の被めっき物を均質にめっきすることができ、めっき効率も向上させることができる。
【図面の簡単な説明】
【００１６】
【図１】バレルめっき装置の実施形態を示す一部切欠き正面図
【図２】図１のII−II線に沿った断面図
【図３】図１の揺動部材の正面図
【図４】図１のバレルめっき装置の右方からの側面図
【図５】ａ、ｂは、それぞれ図４のバレル容器の揺動運動を説明する側面図
【図６】ａは図１のバレル容器を示す一部切欠き正面図、ｂはａの上面図
【発明を実施するための形態】
【００１７】
以下、図面に基づき、本発明の実施形態を説明する。この開口バレルめっき装置は、図１および図２に示すように、固定部材としての左右のサイドフレーム１が一対の梁部材２でめっき槽３の上端縁に懸架され、めっき浴の外の上部でサイドフレーム１間に差し渡された支持台４に、上端が開口したカップ状のバレル容器５を、回転駆動するモータ６ａと揺動駆動するモータ６ｂが左右に配置され、めっき浴中に垂下されたサイドフレーム１の下部に、一対の杆部７ａの先端部に板状の揺動部７ｂを差し渡した揺動部材７が、揺動部７ｂの差し渡し方向を水平方向に向けて、一対の杆部７ａの基端部で、一対の支持軸８に揺動自在に支持されている。各モータ６ａ、６ｂの出力軸は、揺動部材７の揺動部７ｂと平行に左右に向けられている。
【００１８】
前記左右のサイドフレーム１は、上部と下部をそれぞれ把手部材９と連結部材１０で連結され、支持台４上の各モータ６ａ、６ｂは、めっき液の飛沫がかからないように、カバー１１で覆われている。また、このめっき装置は電解めっき用のものであり、めっき浴中には陽極棒１２が吊り下げられ、フレキシブルな陰極導線１３がバレル容器５内に上端開口から導入されている。
【００１９】
前記モータ６ａの左向きの出力軸には平歯車１４ａが取り付けられ、この平歯車１４ａと順次噛み合う上下の平歯車１４ｂ、１４ｃが支持軸１５ａ、１５ｂで左側のサイドフレーム１の内面側に取り付けられて、下側の平歯車１４ｃが、揺動部材７の杆部７ａを支持する左側の支持軸８に取り付けられた平歯車１４ｄと噛み合わされている。また、平歯車１４ｄには傘歯車１６ａが重ねて取り付けられ、揺動部材７の揺動部７ｂの左側に支持軸１５ｃで取り付けられた傘歯車１６ｂと直角に噛み合わされている。
【００２０】
図３に示すように、前記揺動部７ｂの左側の傘歯車１６ｂには平歯車１７ａが重ねて取り付けられ、揺動部７ｂの中央部には、カップ状のバレル容器５の底側を取り付ける円柱状の容器取り付け部材１８が貫通孔１９に回転自在に嵌め込まれて、その外周面に、左側の平歯車１７ａと噛み合う平歯車１７ｂが取り付けられている。容器取り付け部材１８は、ナット２０で抜け止めされている。
【００２１】
したがって、前記モータ６ａの回転駆動力は、固定された左側のサイドフレーム１側では、平歯車１４ａ、１４ｂ、１４ｃ、１４ｄで順次下方へ伝達されて、傘歯車１６ａ、１６ｂで揺動する揺動部材７側へ伝達され、さらに平歯車１７ａ、１７ｂで容器取り付け部材１８に伝達されて、容器取り付け部材１８に取り付けられたバレル容器５を軸心の回りに回転駆動する。なお、固定されたサイドフレーム１側と揺動部材７側の各回転駆動力伝達機構は、このような歯車伝達機構の他に、ベルト伝達機構等とすることもできる。
【００２２】
図１および図４に示すように、前記モータ６ｂの右向きの出力軸には、クランク軸としての、偏心した位置に連結ピン２１ａを取り付けた円板２２が装着され、この連結ピン２１ａが、揺動部材７の揺動部７ｂに取り付けられた連結ピン２１ｂとリンク２３で連結されている。また、連結ピン２１ｂは、右側のサイドフレーム１に形成された円弧状に延びるガイド孔２４に挿入されて、揺動部材７の揺動運動を案内するようになっている。
【００２３】
図５（ａ）、（ｂ）は、前記モータ６ｂの駆動による円板２２の回転で、揺動部材７が揺動運動する状態を説明する側面図である。この実施形態では、円板２２が時計回りに回転し、連結ピン２１ｂは、支持軸８による揺動支持点を通る中心線ｍから離れた位置で、揺動部７ｂの奥側（図面の右側）の幅端部に取り付けられている。図５（ａ）は、円板２２の連結ピン２１ａが下死点近くにあり、容器取り付け部材１８が斜め上向となって、カップ状のバレル容器５が最も起立した状態を示す。図５（ｂ）は、円板２２の連結ピン２１ａが上死点近くにあり、容器取り付け部材１８が横向に近くなって、バレル容器５が最も倒伏した状態を示す。したがって、円板２２が１回転する間に、バレル容器５は起立状態から最大傾斜状態となって起立状態に戻る揺動運動をする。このとき、連結ピン２１ｂは、支持軸８による支持点を中心とする円弧軌跡を描き、前記円弧状のガイド孔２４で案内される。
【００２４】
この実施形態では、連結ピン２１ｂを揺動部材７の中心線ｍから離れた位置で取り付けたが、連結ピン２１ｂは中心線ｍ上の支持軸８による支持点から偏心した位置に取り付けることもできる。また、バレル容器５の揺動振幅と揺動傾斜範囲は、連結ピン２１ａの偏心量、連結ピン２１ｂの偏心量と中心線ｍからの距離、リンク２３の長さ等によって変化させることができる。
【００２５】
前記バレル容器５は、図６（ａ）、（ｂ）に示すように、上端が開口した六角筒状で、底が中心側へ下降傾斜する形状とされ、格子状の桟５ａに、被めっき物よりも細かいメッシュ５ｂが内面側からインサート成形されている。
【００２６】
前記バレル容器５の底の中心には、下向きに開口する丸穴２５ａが形成された取り付け部２５が設けられ、丸穴２５ａの奥側に、その内径とねじ山径が等しい雌ねじ部２５ｂが形成されている。また、図３に示したように、前記容器取り付け部材１８は、円柱部１８ａの先端側に、その外径とねじ山径が等しい雄ねじ部１８ｂが形成されており、バレル容器５の取り付け部２５の丸穴２５ａに、容器取り付け部材１８の円柱部１８ａを嵌め込んだのち、雄ねじ部１８ｂと雌ねじ部２５ｂを螺合させることにより、バレル容器５を簡単に容器取り付け部材１８に取り付けることができる。雄ねじ部１８ｂと雌ねじ部２５ｂは、バレル容器５の回転に対して締まり勝手となっている。なお、円柱部１８ａをバレル容器５側に設け、丸穴２５ａを容器取り付け部材１８側に設けることもできる。
【符号の説明】
【００２７】
１  サイドフレーム
３  めっき槽
４  支持台
５  バレル容器
５ａ  桟
５ｂ  メッシュ
６ａ、６ｂ  モータ
７  揺動部材
７ａ  杆部
７ｂ  揺動部
８  支持軸
９  把手部材
１０  連結部材
１１  カバー
１２  陽極棒
１３  陰極導線
１４ａ、１４ｂ、１４ｃ、１４ｄ  平歯車
１５ａ、１５ｂ、１５ｃ  支持軸
１６ａ、１６ｂ  傘歯車
１７ａ、１７ｂ  平歯車
１８  容器取り付け部材
１８ａ  円柱部
１８ｂ  雄ねじ部
１９  貫通孔
２０  ナット
２１ａ、２１ｂ  連結ピン
２２  円板
２３  リンク
２４  ガイド孔
２５  取り付け部
２５ａ  丸穴
２５ｂ  雌ねじ部
【図１】
0005507145.tif 000002
【図２】
0005507145.tif 000003
【図３】
0005507145.tif 000004
【図４】
0005507145.tif 000005
【図５】
0005507145.tif 000006
【図６】
0005507145.tif 000007